Podtech/llm-jp-corpus-v4-ja_patent huggingface dataset:
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
外科的訓練用の模擬組織構造体であって、
上面および下面を備えるとともに前記上面と前記下面との間に厚さを定めるシリコーンポリマーの第１の層を有し、
上面および下面を備えるとともに前記上面と前記下面との間に厚さを定めるシリコーンポリマーの第２の層を有し、前記第２の層は、前記第１の層の前記上面が前記第２の層の前記下面に向くよう、前記第１の層から間隔を置いて配置されて、それらの間に隙間を形成し、
前記第１の層と前記第２の層との間に配置された複数のからみ合った繊維で作られた第３の層を有し、前記複数のからみ合った繊維は、この複数のからみ合った繊維の一部が前記第１の層および前記第２の層の少なくとも一方に埋め込まれるように、ランダムに配置された仕方で前記隙間内に存在し、それにより、封入体の外科的切除の練習のための切開平面を提供する、模擬組織構造体。
【請求項２】
前記第３の層は、ポリエステル繊維で作られている、請求項１に記載の模擬組織構造体。
【請求項３】
前記第３の層の前記複数のからみ合った繊維の少なくとも一部は、前記第１の層と前記第２の層を連結した繊維の機械的リンケージを作るよう前記第１の層と前記第２の層の両方の中に埋め込まれている、請求項１に記載の模擬組織構造体。
【請求項４】
前記封入体は、前記第１の層および前記第２の層のうちの少なくとも一方にくっつけられているか、または埋め込まれている、請求項１に記載の模擬組織構造体。
【請求項５】
前記封入体は、模擬解剖学的構造体、臓器、血管系、神経、組織、腫瘍、前立腺、前立腺系、静脈、血管、および管腔から成る群から選択されている、請求項１に記載の模擬組織構造体。
【請求項６】
前記複数のからみ合った繊維の各々は、長さ、第１の自由端部及び第２の自由端部を有する、ストランド、フィラメント、ヤーン、またはマイクロファイバの形態をしている、請求項１に記載の模擬組織構造体。
【請求項７】
繊維の何本かのストランドは、繊維の長さに沿った１つ以上の位置において前記第１および第２の層に埋め込まれる一方で、それらの前記第１および第２の自由端部は、前記第１または第２の層内に埋め込まれてもよいし、埋め込まれていなくてもよく、
繊維の他の何本かのストランドは、前記第１の層または前記第２の層に連結されずに、前記第１の層と前記第２の層との間に自由に配置され、
繊維のさらに他のストランドは、繊維の他のストランドとルーズな仕方でからみ合わされると共により合わされていて、この他のストランドに対して動くことができるようになっている、請求項６に記載の模擬組織構造体。
【請求項８】
前記複数のからみ合った繊維は、ポリエステル、ポリアミド、アクリル、アセテート、ポリオレフィン、コットン、ファイバーフィル、綿、ポリエチレンテレフタレート、ポリエチレンナフタレート、ナイロン、ポリフィル、ポリマー、プラスチック、スパンデックス、天然繊維、非吸収性繊維、合成繊維から成る群から選択されている、請求項１に記載の模擬組織構造体。
【請求項９】
前記第１の層および前記第２の層の厚さは、約１ｍｍから約７ｍｍの範囲内であり、前記第３層の厚さは、約２．５ｍｍから約２５ｍｍの範囲内である、請求項１に記載の模擬組織構造体。
【請求項１０】
外科的訓練用の模擬組織構造体であって、
第１のルーメンを備えた第１の管を有し、前記第１の管は、内側層、外側層および中間層を有し、前記外側層は、前記中間層によって前記内側層に連結され、前記中間層は、一部が前記内側層内に埋め込まれかつ一部が前記外側層内に埋め込まれた複数のからみ合った繊維で作られ、
第２のルーメンを備えた第２の管を有し、前記第２の管は、外側層および内側層を有し、前記第１の管は、前記第２のルーメンの内側に配置され、
前記第２の管の前記内側層と前記第１の管の前記外側層との間に配置された封入体を有する、模擬組織構造体。
【請求項１１】
前記封入体は、人工前立腺、人工精嚢、人工膀胱、人工尿道および人工精管のうちの１つまたは２つ以上として構成されている、請求項１０に記載の模擬組織構造体。
【請求項１２】
第３のルーメンを画定する外面と内面を備えた第３の管を更に有し、前記第３の管は、前記第１のルーメンの内側に配置され、
第４のルーメンを画定する外面と内面を備えた第４の管を更に有し、前記第１の管は、前記第３の管の内側に配置されている、請求項１０に記載の模擬組織構造体。
【請求項１３】
前記第４の管は、前記第３の管に対して偏心している、請求項１２に記載の模擬組織構造体。
【請求項１４】
前記第１の管の前記中間層は、ポリエステル繊維で作られ、前記第１の管の前記内側層および前記外側層は、シリコーンで作られている、請求項１０に記載の模擬組織構造体。
【請求項１５】
前記第１の管の前記外側層は、透明または白色であり、前記第２の管の前記内側層は、白色ポリエステル繊維であり、前記第１の管の前記中間層は、白色である、請求項１０に記載の模擬組織構造体。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
外科的訓練用の模擬組織構造体であって、
近位端と遠位端との間で長手方向軸線に沿って延びる中央ルーメンを備えた管状構造体を有する模擬大腸と、
前記模擬大腸の前記遠位端に連結された模擬虫垂と、
前記模擬大腸に連結された状態で該模擬大腸に沿って長手方向に延びる模擬ひもコイルと、
近位端と遠位端との間の中間部分を備えかつ前記模擬虫垂に連結されている少なくとも１本の模擬動脈と、
実質的に前記虫垂を包囲したポケットとを有する、模擬組織構造体。
【請求項２】
前記模擬大腸は、縮小した直径を有する少なくとも１つの横方向ひだを有する、請求項１記載の模擬組織構造体。
【請求項３】
前記模擬ひもコイルは、前記模擬ひもコイルの長手方向長さに沿う少なくとも１つの広幅側方部分を有し、前記少なくとも１つの広幅側方部分は、前記少なくとも１つの横方向ひだと整列している、請求項２記載の模擬組織構造体。
【請求項４】
前記模擬ひもコイルは、シリコーンの幅の狭いストリップである、請求項１記載の模擬組織構造体。
【請求項５】
模擬回腸を更に有し、前記模擬大腸は、前記遠位端の近くに穴を有し、前記模擬回腸は、前記穴内に挿入された状態で前記模擬大腸に連結されている、請求項１記載の模擬組織構造体。
【請求項６】
前記模擬大腸は、シリコーンの第１の層およびシリコーンの第２の層を有し、前記模擬ひもコイルは、前記第１の層と前記第２の層との間に配置されている、請求項１記載の模擬組織構造体。
【請求項７】
前記模擬ひもコイルは、白色シリコーンの幅の狭いストリップである、請求項６記載の模擬組織構造体。
【請求項８】
前記ポケットは、シリコーンの下側の層およびシリコーンの上側の層を有し、前記模擬虫垂および前記少なくとも１本の模擬動脈は、前記下側層と前記上側層との間に配置されている、請求項１記載の模擬組織構造体。
【請求項９】
前記少なくとも１本の模擬動脈の前記中間部分は、前記下側層にくっつけられ、前記少なくとも１本の模擬動脈の前記遠位端は、前記模擬虫垂にくっつけられている、請求項８記載の模擬組織構造体。
【請求項１０】
外科的訓練用の模擬組織構造体であって、
虫垂切除術用モデルを含み、前記虫垂切除術用モデルは、
直径を有する中央ルーメンを画定する内面を備えたシリコーンの第１の層と、
シリコーンの第２の層と、
内面、外面、頂縁と底縁との間に定められた距離、および第１の側縁と第２の側縁との間に定められた幅を有するシリコーンのストリップとを有し、前記ストリップは、前記第１の層と前記第２の層との間に埋め込まれている、模擬組織構造体。
【請求項１１】
前記ストリップの前記内面は、前記第１の層の前記外面にくっつけられている、請求項１０記載の模擬組織構造体。
【請求項１２】
前記第２の層は、前記第１の層および前記ストリップに被覆成形されている、請求項１０記載の模擬組織構造体。
【請求項１３】
前記ストリップの前記幅は、前記第１の側縁と前記第２の側縁との間に構成された状態で比較的細幅の部分が散在して設けられた広幅部分を含み、前記中央ルーメンは、小径および比較的大径の対応の領域を有する、請求項１０記載の模擬組織構造体。
【請求項１４】
前記広幅部分は、前記小径の領域と整列している、請求項１３記載の模擬組織構造体。
【請求項１５】
角度が付けられた状態で前記中央ルーメンに相互連結された第２のルーメンを更に有する、請求項１０記載の模擬組織構造体。
【手続補正２】
【補正対象書類名】明細書
【補正対象項目名】００２１
【補正方法】変更
【補正の内容】
【００２１】
本明細書において開示した実施形態および変形例に対して種々の改造を行うことができることは言うまでもない。したがって、上述の説明は、本発明を限定するものと解されるべきではなく、単に好ましい実施形態の例示として解されるべきである。当業者であれば、本発明の範囲および精神の範囲内で他の改造例を想到するであろう。
また、好ましい構成態様として、本発明を次のように構成することもできる。
１０．  模擬組織構造体を製造する方法であって、
マンドレルを用意するステップと、
湿ったシリコーンの第１の層を前記マンドレルに被着させるステップと、
前記湿ったシリコーンの第１の層を硬化させて中央ルーメンを備える第１の管状構造体を作製するステップと、
シリコーンの幅の狭いストリップを用意するステップと、
前記幅の狭いストリップを前記第１の管状構造体に沿って長手方向に被着させるステップと、
湿ったシリコーンの第２の層を前記第１の管状構造体および前記シリコーンの幅の狭いストリップに被着させるステップと、
前記湿ったシリコーンの第２の層を硬化させるステップと、
前記第１の層、前記第２の層および前記幅の狭いストリップを前記マンドレルから取り外すステップとを含む、方法。
１１．  前記幅の狭いストリップを前記第１の管状構造体にくっつけるステップを更に含む、上記１０記載の方法。
１２．  穴を前記中央ルーメンに作るステップと、
前記穴中に挿入可能な寸法および形態の第２の管状構造体を用意するステップと、
前記第２の管状構造体を前記穴中に挿入するステップと、
前記第２の管状構造体を前記第１の管状構造体に取り付けるステップとを更に含む、上記１０記載の方法。
１３．  シリコーンの幅の狭いストリップを用意する前記ステップは、色が白色であるシリコーンの幅の狭いストリップを用意するステップを含み、前記第１の層および前記第２の層は、色が白色である、上記１０記載の方法。
１４．  シリコーンの幅の狭いストリップを用意する前記ステップは、前記幅の狭いストリップの長手方向長さに沿って比較的細幅の側方部分が散在して設けられた１つまたは２つ以上の広幅側方部分を有する幅の狭いストリップを用意するステップを含み、細長いマンドレルを用意する前記ステップは、長手方向軸線に沿って縮小直径の部分を有する細長いマンドレルを用意するステップを含み、幅の狭いストリップを被着させる前記ステップは、前記１つまたは２つ以上の広幅側方部分を前記縮小直径の前記部分に整列させるステップを含む、上記１０記載の方法。
１５．  マンドレルを用意する前記ステップは、近位部分および遠位部分を備えたマンドレルを用意するステップを含み、前記マンドレルの前記近位部分は、長手方向軸線および実質的に円筒形の形状を定めるとともに第１の直径を有し、前記マンドレルの前記遠位部分は、前記第１の部分に対して角度が付けられるとともに前記第１の直径よりも小さい第２の直径を有する、上記１０記載の方法。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
液体及び／または固体物質の対象有機分子と関連する分析物を検出するポータブルデバイス（１００）であって、
前記分析物と反応するよう選択された分析試薬を含む試液の液体と、
突き刺し可能な膜壁（１４０）でシールされている、前記試液を含むテストチャンバ（１０８）と、
前記試液とテスト混合物を形成するように、前記テストチャンバにサンプルを配置するために、前記膜壁を突き刺すように、取り外し可能に配置されるプローブ（１２０）と、
磁気、電気、及び光特性の１つもしくは複数である、前記テスト混合物の特性の少なくとも１つを刺激する刺激源（１１２）と、
前記分析物と前記分析試薬との間の反応を示す前記テストチャンバの前記テスト混合物の前記少なくとも１つの特性の時間的なパターンを検出するように配置されたセンサ（１１６）と、
を含む、
ポータブルデバイス。
【請求項２】
前記刺激源（１１２）は光源、電場源、電流源、及び磁場源の少なくとも１つを含む、
請求項１に記載のポータブルデバイス。
【請求項３】
前記センサ（１１６）と通信可能に接続され、検出された特性の少なくとも１つに、少なくとも部分的に基づいて、前記分析物を前記サンプルが含むか否か評価するプロセッサ（１２４）、
を含む、
請求項１または請求項２に記載のポータブルデバイス。
【請求項４】
前記プロセッサ（１２４）は前記センサ（１１６）と接続され、検出された特性の前記少なくとも１つの検出された前記時間的なパターンに、少なくとも部分的に基づいて、前記分析物を前記サンプルが含むか否か評価する、
請求項３に記載のポータブルデバイス。
【請求項５】
前記分析物の存在を示すように制御可能なディスプレイ（１２８）、
を含む、
請求項３または請求項４に記載のポータブルデバイス。
【請求項６】
前記テストチャンバ（１０８）は照射窓（１６４）及びセンサ窓（１６８）をもち、
前記刺激源（１１２）は、前記照射窓を通して、前記テストチャンバの少なくとも部分を照射するように向けられた光源を含み、
前記センサ（１１６）は、前記センサ窓を通して、前記テストチャンバから光放射を検出するように向けられた光センサを含む、
請求項１に記載のポータブルデバイス。
【請求項７】
前記テストチャンバは１μＬ〜２５０μＬの前記試液を含むか、もしくは、
前記テストチャンバは１ｍＬより少ない容量をもつ、
請求項１〜請求項６の何れか1項に記載のポータブルデバイス。
【請求項８】
前記センサ（１１６）、及び収容キャビティ（１４４）を含む本体（１０４）、
を含み、
前記テストチャンバ（１０８）は前記収容キャビティに配置可能で取り外し可能である、
請求項１〜請求項７の何れか1項に記載のポータブルデバイス。
【請求項９】
前記テストチャンバ（１０８）は廃棄可能で一回だけ使用されるか、もしくは、
前記ポータブルデバイスは、
前記収容キャビティ（１４４）に配置可能で取り外し可能な廃棄可能なカートリッジ（１３２）、
をさらに含み、
前記カートリッジは前記テストチャンバ及び入口通路（１７６）を含み、
前記入口通路は前記プローブ（１２０）の少なくとも部分を受け入れるサイズを有し、
前記入口通路はダウンストリーム端とは反対側にアップストリーム端を有し、
前記ダウンストリーム端は膜（１４０）を含む、
請求項８に記載のポータブルデバイス。
【請求項１０】
少なくとも１つの第２テストチャンバ（１０８）、
をさらに含み、
前記第２テストチャンバの各々は試液の液体の各々を含み、
前記第２テストチャンバの各々は突き刺し可能な膜壁の各々でシールされている、
請求項１〜請求項９の何れか1項に記載のポータブルデバイス。
【請求項１１】
前記プローブ（１２０）は、前記膜壁（１４０）を突き刺す尖ったプローブシャフト端をもつプローブシャフト（１９２）を含み、
前記プローブシャフトはリトラクタブルであり、
前記プローブシャフトは伸長位置及び収納位置をもち、
前記プローブが前記テストチャンバに伸長し、前記プローブシャフトが前記伸長位置である場合、前記プローブシャフトは、前記１つもしくは複数の特性を検出する前記センサと少なくとも部分的に干渉し、
前記センサによる検出の前記プローブシャフトによる干渉は、前記プローブが前記テストチャンバに伸長し、前記プローブシャフトが収納位置である場合、少なくとも部分的に低減される、
請求項１〜請求項１０の何れか1項に記載のポータブルデバイス。
【請求項１２】
液体及び／または固体物質の有機分子と関連する分析物を検出する方法であって、
テストチャンバ（１０８）に含まれる試薬を含む試液の液体にプローブからサンプルを配置するように、前記プローブ（１２０）でテストチャンバ壁（１４０）を突き刺し、
前記サンプルと前記試液とを混合し、前記テストチャンバでテスト混合物を形成し、
磁気、電気、及び光特性の１つもしくは複数である、前記テストチャンバの前記テスト混合物の少なくとも１つの特性を刺激し、
前記分析物と分析試薬との間の反応を示す前記テストチャンバの前記テスト混合物の１つもしくは複数の特性の時間的なパターンを検知する、
分析物を検出する方法。
【請求項１３】
１つもしくは複数の検出された前記特性の、検知された前記時間的なパターンに、少なくとも部分的に基づいて、前記分析物を前記サンプルが含むか否か評価する、
ことを含む、請求項１２に記載の方法。
【請求項１４】
前記突き刺す前に、
前記試液の前記１つもしくは複数の特性を検知する、
ことをさらに含む、
請求項１２に記載の方法。
【請求項１５】
前記試液の検知された前記１つもしくは複数の特性と、前記テスト混合物の検知された前記１つもしくは複数の特性と、を比較し、前記サンプルに前記分析物が存在するか否か判定する、
ことをさらに含む、
請求項１４に記載の方法。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
コンピューティングシステム（６００）であって、
メモリ（６０４）に接続されたプロセッサ（６０２）を備え、
前記メモリ（６０４）は、前記プロセッサによって実行可能な命令が格納されて構成されており、前記命令は、
レコードについて定められている少なくとも保持期間にわたって一次データストアに記憶されている前記レコードを識別するように構成されたカットオフロジック（２５０）と、
前記レコードのアーカイブ適格性基準が満たされているかを判断するために前記レコードを評価するように構成された適格性ロジック（１２０）と、
マーキングロジック（２７０）とを含み、前記マーキングロジックは、
前記アーカイブ適格性基準が満たされている場合、前記レコードをアーカイブに適格であるとマーキングし、
前記アーカイブ適格性基準が満たされていない場合、前記レコードをアーカイブに適格であるとマーキングしないように構成されている、コンピューティングシステム。
【請求項２】
前記マーキングロジックは、前記レコードのフィールド内の適格性値を、前記レコードがアーカイブに適格であると示しているとアーカイブ処理によって認識可能な値に設定するように構成されている、請求項１に記載のコンピューティングシステム。
【請求項３】
前記レコードはオブジェクトのインスタンスであり、前記レコードは前記レコードの管理日を記憶しており、前記カットオフロジックは、
本日の日付を求め、
前記オブジェクトと関連付けられているオブジェクト保持期間を識別し、
前記本日の日付から前記保持期間を引くことによって前記レコードのカットオフ日を計算し、
前記管理日が前記カットオフ日より前であると判断する
ことによって、前記レコードが少なくとも前記保持期間にわたって前記一次データストアに記憶されていると判断するように構成されている、請求項１または２に記載のコンピューティングシステム。
【請求項４】
前記レコードはオブジェクトのインスタンスであり、前記レコードは１つ以上のステータスフィールド値を含み、前記適格性ロジックは、
前記アーカイブ適格性基準に対応するステータスフィールド値の組合せを指定する前記オブジェクトのメタデータ内に記憶されているアーカイブオプションデータにアクセスし、
前記ステータスフィールド値が前記アーカイブ適格性基準を満たしているかを判断するために前記レコードを分析する
ように構成されている、請求項１〜３のいずれか１項に記載のコンピューティングシステム。
【請求項５】
コンピュータによって実行される方法（４００）であって、
レコードについて定められている少なくとも保持期間にわたって一次データストアに記憶されている前記レコードを識別すること（４１０）と、
前記レコードのアーカイブ適格性基準が満たされているかを判断するために前記レコードを評価すること（４２０）と、
前記アーカイブ適格性基準が満たされている場合（４３０）、前記レコードをアーカイブに適格であるとマーキングすること（４５０）と、
前記アーカイブ適格性基準が満たされていない場合（４３０）、前記レコードをアーカイブに適格でないとマーキングすること（４４０）とを備える、コンピュータによって実行される方法。
【請求項６】
前記レコードをアーカイブに適格であるとマーキングすることは、前記レコードのフィールド内の適格性値を、前記レコードがアーカイブに適格であると示しているとアーカイブ処理によって認識可能な値に設定することを含む、請求項５に記載のコンピュータによって実行される方法。
【請求項７】
前記レコードはオブジェクトのインスタンスであり、前記レコードは前記レコードの管理日を記憶しており、前記少なくとも保持期間にわたって一次データストアに記憶されている前記レコードを識別することは、
本日の日付を求めることと、
前記オブジェクトと関連付けられているオブジェクト保持期間を識別することと、
前記本日の日付から前記保持期間を引くことによって前記レコードのカットオフ日を計算することと、
前記管理日が前記カットオフ日より前であると判断することとを含む、請求項５または６に記載のコンピュータによって実行される方法。
【請求項８】
前記レコードはテーブルに記憶され、前記レコードは前記管理日を記憶するフィールドを含み、前記方法は管理日によって前記テーブルをパーティション分割することをさらに含む、請求項５〜７のいずれか１項に記載のコンピュータによって実行される方法。
【請求項９】
前記レコードはオブジェクトのインスタンスであり、前記レコードは１つ以上のステータスフィールド値を含み、前記レコードを評価することは、
前記アーカイブ適格性基準に対応するステータスフィールド値の組合せを指定する前記オブジェクトのメタデータ内に記憶されているアーカイブオプションデータにアクセスすることと、
前記ステータスフィールド値が前記アーカイブ適格性基準を満たしているかを判断するために前記レコードを分析することとを含む、請求項５〜８のいずれか１項に記載のコンピュータによって実行される方法。
【請求項１０】
前記ステータスフィールドの１つは、前記レコードと前記レコードに関連している１つ以上のレコードとを含むビジネスオブジェクトのステータスに対応する、請求項９に記載のコンピュータによって実行される方法。
【請求項１１】
コンピュータによって実行されると前記コンピュータに請求項５〜１０のいずれか１項に記載の方法を実行させるコンピュータ実効可能命令を含む、コンピュータプログラム。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
少なくとも２つの下流および／または上流工程の実行のため、直列に連結した少なくとも２つのユニットを備えた、バイオ医薬製品の連続的な製造および／または製剤のための製造プラントであって、前記製造プラントは、
−  少なくとも１つのスレーブユニットおよび少なくとも１つのマスターユニットを備え、
−  各スレーブユニットを、製品流に沿って同じユニットまたは隣接ユニット内のいずれかで少なくとも１つのバッファー容積と連結し、前記バッファー容積のモニターのための１つ以上のセンサーおよび前記バッファー容積に影響を及ぼすための１つ以上のアクチュエータを備え、各バッファー容積の状態変数を、クローズドアクションシークエンス内の少なくとも１つの制御装置と連結した前記センサーおよび前記アクチュエータによって制御し、
−  マスターユニットは、前記製品流を運搬するための少なくとも１つの機器を備え、その流速を前記状態変数バッファー容積の制御により制御しないことを特徴とし、
−  およびマスターユニットが１つ以上のスレーブユニットと隣接する場合、各スレーブユニットの前記バッファー容積と連結し、ならびに
−  複数のマスターユニットの場合、少なくとも１つの補助流が前記マスターユニットの２つの流速決定アクチュエータ間に存在する、
ことを特徴とする前記製造プラント。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
メッセージを受信するステップと、
前記メッセージに言語分析を適用して、前記メッセージを機械言語特徴に自動的に変換するステップと、
前記メッセージに関連する情報を見つけ出すために、データソースを検索するステップと、
前記データソースから、前記メッセージに関連する前記情報を受信するステップと、
前記の受信された情報に少なくとも部分的に基づいて、前記機械言語特徴の間でリクエスト又はコミットメントを自動的に識別するステップと、
を含む方法。
【請求項２】
前記メッセージは、オーディオ、画像、又はビデオを含み、
前記メッセージに前記言語分析を適用することは、
前記オーディオ、前記画像、又は前記ビデオに対応するテキストを決定することと、
前記オーディオ、前記画像、又は前記ビデオに対応する前記テキストに前記言語分析を適用することと、
をさらに含む、請求項１記載の方法。
【請求項３】
前記メッセージを受信することは、
時間スパン中に、前記メッセージの諸部分を順次に受信することと、
前記時間スパン中に、前記メッセージの前記の受信された諸部分に前記言語分析を適用することと、
をさらに含む、請求項１記載の方法。
【請求項４】
前記リクエスト又は前記コミットメントを含むとして、前記メッセージにフラグを付ける且つ／又は前記メッセージに注釈付けするステップ
をさらに含む、請求項１記載の方法。
【請求項５】
電子コミュニケーションのコンテンツを受信するレシーバポートと、
前記電子コミュニケーションの前記コンテンツを分析して、前記電子コミュニケーションの前記コンテンツの１つ以上の意味を判別し、
前記電子コミュニケーションに関連する、１つ以上のデータソースのコンテンツを問い合わせ、
（ｉ）前記コンテンツの前記１つ以上の意味及び（ｉｉ）前記１つ以上のデータソースの前記コンテンツに少なくとも部分的に基づいて、前記電子コミュニケーションの前記コンテンツからリクエスト又はコミットメントを自動的に抽出する
抽出モジュールと、
を備えるシステム。
【請求項６】
前記１つ以上のデータソースの前記コンテンツは、前記電子コミュニケーションの前記コンテンツの１人以上の作成者の個人データを含む、請求項５記載のシステム。
【請求項７】
前記電子コミュニケーションは、オーディオ、画像、又はビデオを含み、
前記システムは、
前記オーディオ、前記画像、又は前記ビデオを、対応するテキストに変換して、前記電子コミュニケーションの前記コンテンツを生成し、
前記電子コミュニケーションの前記コンテンツを前記抽出モジュールに提供する
変換モジュール
をさらに備える、請求項５記載のシステム。
【請求項８】
前記抽出モジュールは、前記の抽出されたリクエスト又はコミットメントに関連付けられた人の識別情報及び前記の抽出されたリクエスト又はコミットメントに関連付けられた１つ以上の位置を用いて、前記の抽出されたリクエスト又はコミットメントを補足するよう構成されている、請求項５記載のシステム。
【請求項９】
データを受信及び送信するトランシーバポートと、
ユーザインタフェースを介してユーザにより入力された電子メッセージを分析し、
前記データを検索して、前記電子メッセージに関連するコンテンツを見つけ出し、
前記電子メッセージに関連する前記コンテンツに少なくとも部分的に基づいて、前記電子メッセージから、リクエスト又はコミットメントに対応するテキストを抽出する
プロセッサと、
を備えるコンピューティングデバイス。
【請求項１０】
電子ディスプレイをさらに備え、
前記プロセッサは、前記電子ディスプレイ上に表示される画像を生成するようさらに構成されており、前記画像は、前記リクエスト又は前記コミットメントに対応する前記テキストが正確である又は正しいかどうかを前記ユーザが確認するためのダイアログを含む、請求項９記載のコンピューティングデバイス。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
ａ．試料ローディング領域と、
ｂ．前記試料ローディング領域の下流の濾過領域であって、酸化シアロ−トランスフェリン（ｓＴＦ）に結合するヒドラジド反応性基を含む固定化試薬を含み、該酸化ｓＴＦはその末端シアル酸残基中にアルデヒド基を含む、濾過領域と、
ｃ．抗トランスフェリン抗体を含む前記濾過領域の下流の結合領域と、
ｄ．前記結合領域の下流の捕捉領域であって、抗トランスフェリン抗体−トランスフェリン複合体に結合する固定化抗トランスフェリン抗体を含む、捕捉領域と、
を備える、試料中のアシアロ−トランスフェリンを検出する又は測定するための試験片。
【請求項２】
前記ヒドラジド反応性基を含む固定化試薬が、ヒドラジド基で官能基化された高分子である、請求項１に記載の試験片。
【請求項３】
前記固定化試薬がヒドラジド粒子を含む、請求項１に記載の試験片。
【請求項４】
試料中のアシアロ−トランスフェリンの存在を検出するためのキットであって、
ａ．請求項１に記載の試験片と、
ｂ．前記試験片を含むハウジングであって、試料ローディング域において前記試験片の表面を前記試料に曝露させるための少なくとも１つの開口を備える、ハウジングと、
ｃ．化学酸化剤又は酵素酸化剤を含む容器と、
を備える、キット。
【請求項５】
前記化学酸化剤が、過ヨウ素酸塩である、請求項４に記載のキット。
【請求項６】
生体試料中の脳脊髄液（ＣＳＦ）の存在を検出する方法であって、
ａ．末端残基中にアルデヒド基を含む酸化シアロ−トランスフェリン（ｓＴＦ）を生成するのに十分な量の化学酸化剤又は酵素酸化剤を該試料に添加する工程と、
ｂ．工程ａから得られる試料と、ヒドラジド反応性基を含む試薬とを接触させる工程であって、前記酸化ｓＴＦが該ヒドラジド反応性基に結合して複合体を形成する、工程と、
ｃ．前記試料から前記複合体を除去して残留試料を形成する工程と、
ｄ．前記残留試料中のトランスフェリンの存在を検出する工程と、
を含み、
前記工程ｄのトランスフェリンの検出が前記試料中のＣＳＦの存在を示す、方法。
【誤訳訂正書】
【提出日】令和1年9月3日(2019.9.3)
【誤訳訂正１】
【訂正対象書類名】明細書
【訂正対象項目名】００８１
【訂正方法】変更
【訂正の内容】
【００８１】
本発明の別の実施形態において、取得された２つの音声コマンドが互いに対立する場合、時間に関する決定要素が追加される。優先順位の高いコマンドが認識された後、車載中央制御デバイスがプリセット時間Ｔ１内に対立コマンドを認識したが、認識された対立コマンドが、比較的低い優先順位を有している場合、比較的低い優先順位を有するそのコマンドは無視される。優先順位の高いコマンドが認識された後、車載中央制御デバイスがプリセット時間Ｔ１後に対立コマンドを認識した場合、車載中央制御デバイスは、音声コマンドが認識された時間順に従って、取得された音声コマンドに応答する。
【誤訳訂正２】
【訂正対象書類名】特許請求の範囲
【訂正対象項目名】全文
【訂正方法】変更
【訂正の内容】
【特許請求の範囲】
【請求項１】
音声の発生位置を特定するための方法であって、前記方法は、
Ｋ個の集音センサにより、Ｋ個の第１音声信号を収集するステップであって、Ｋは２以上の整数である、ステップと、
プロセッサにより、第１位置に対応する第２音声信号を抽出するステップと、
前記プロセッサにより、前記抽出された第２音声信号に対して音声認識を実施するステップと、
前記プロセッサにより、前記第２音声信号に対応する第１音声コマンドを取得するステップと、
出力装置により、前記第１音声コマンドに応答するステップと、
前記プロセッサにより、第２位置に対応する第３音声信号を抽出するステップと、
前記プロセッサにより、前記抽出された第３音声信号に対して音声認識を実施するステップと、
前記プロセッサにより、前記第３音声信号に対応する第２音声コマンドを取得するステップと、
前記出力装置により、前記第２音声コマンドに応答するステップと、
を具備し、
車載中央制御装置が優先順位の高いコマンドを認識してから所定の時間内に対立コマンドを認識した場合、相対的に優先順位が低いコマンドが無視され、
車載中央制御装置が前記優先順位の高いコマンドを認識してから所定の時間後に対立コマンドを認識した場合、認識した音声コマンドの時系列順にしたがって取得した音声コマンドに応答し、
少なくとも２つのコマンドに対して同じリソースが使用され、少なくとも２つのコマンドの実行中に使用された同じリソースに対して異なる動作が実行されるとき、少なくとも２つのコマンドは対立コマンドであることを特徴とする音声の発生位置を特定するための方法。
【請求項２】
前記第１音声コマンド及び前記第２音声コマンドに応答する前記ステップは、前記第１及び第２音声コマンドに対応する前記第１位置及び前記第２位置の優先順位に従って、優先順位の高い音声コマンドに優先的に応答するステップを具備することを特徴とする請求項１に記載の方法。
【請求項３】
前記第１音声コマンド及び前記第２音声コマンドに応答する前記ステップは、音声コマンドの優先順位に従って、優先順位の高い音声コマンドに優先的に応答するステップを具備し、大人の音声の音声コマンドの優先順位は、優先順位が高く設定されるが、子供の音声は、優先順位が低く設定されるか又はブロックされる
ことを特徴とする請求項１に記載の方法。
【請求項４】
Ｋ個の集音センサにより、Ｋ個の第１音声信号を収集する前に、前記方法は、
車載システムにより、前記車載システムの少なくとも１つの座席が占有されていると判定するステップ
をさらに具備することを特徴とする請求項１に記載の方法。
【請求項５】
前記プロセッサにより、前記第２音声信号に対応する第１音声コマンドと、前記第３音声信号に対応する第２音声コマンドとを、取得した後に、前記方法は、
前記プロセッサにより、ユーザの測定された体重と、前記第２及び第３音声信号の認識された声紋とを参照して、前記ユーザの身元を判定するステップ
をさらに具備することを特徴とする請求項１に記載の方法。
【請求項６】
端末デバイスであって、前記端末デバイスは、
Ｋ個の第１音声信号を収集するように構成されたＫ個の集音センサであって、Ｋは２以上の整数である、Ｋ個の集音センサと、
第１位置に対応する第２音声信号を抽出するとともに、前記抽出された第２音声信号に対して音声認識を実施し、前記第２音声信号に対応する第１音声コマンドを取得するように構成されたプロセッサと、
前記第１音声コマンドに応答するように構成された出力装置と、
を具備し、
前記プロセッサは、第２位置に対応する第３音声信号を抽出するとともに、前記抽出された第３音声信号に対して音声認識を実施し、前記第３音声信号に対応する第２音声コマンドを取得するようにさらに構成され、
前記出力装置は、前記第２音声コマンドに応答するようにも構成されており、
車載中央制御装置が優先順位の高いコマンドを認識してから所定の時間内に対立コマンドを認識した場合、相対的に優先順位が低いコマンドが無視され、
車載中央制御装置が前記優先順位の高いコマンドを認識してから所定の時間後に対立コマンドを認識した場合、認識した音声コマンドの時系列順にしたがって取得した音声コマンドに応答し、
少なくとも２つのコマンドに対して同じリソースが使用され、少なくとも２つのコマンドの実行中に使用された同じリソースに対して異なる動作が実行されるとき、少なくとも２つのコマンドは対立コマンドであることを特徴とする端末デバイス。
【請求項７】
前記第１音声コマンド及び前記第２音声コマンドに応答するように構成された前記出力装置は、具体的には、
前記出力装置は、前記第１及び第２音声コマンドに対応する前記第１位置及び前記第２位置の優先順位に従って、優先順位の高いコマンドに優先的に応答するように構成される
ことを含むことを特徴とする請求項６に記載の端末デバイス。
【請求項８】
前記出力装置は、音声コマンドの優先順位に従って、優先順位の高い音声コマンドに優先的に応答するように構成され、大人の音声である音声コマンドの優先順位は、優先順位が高く設定されるが、子供の音声は、優先順位が低く設定されるか又はブロックされる
ことを特徴とする請求項６に記載の端末デバイス。
【請求項９】
車載システムの少なくとも１つの座席が占有されていることを判定するように構成されている車載システムをさらに具備することを特徴とする請求項６に記載の端末デバイス。
【請求項１０】
前記プロセッサは、前記第２音声信号に対応する第１音声コマンド、及び前記第３音声信号に対応する第２音声コマンドを取得するように構成された後、前記プロセッサは、
ユーザの測定された体重と、前記第２及び第３音声信号の認識された声紋とを参照して、前記ユーザの身元を判定する
ようにさらに構成されていることを特徴とする請求項６に記載の端末デバイス。
【請求項１１】
三次元空間における前記Ｋ個の集音センサの座標が異なることを特徴とする請求項６又は７に記載の端末デバイス。
【請求項１２】
コンピュータにより実行されると、請求項１から５のいずれか一項の方法を前記コンピュータに実行させる命令を具備するコンピュータ可読記憶媒体。
【請求項１３】
請求項１から５のいずれか一項の方法を実行するように適合されたコンピュータプログラム。
【手続補正書】
【提出日】令和1年7月18日(2019.7.18)
【手続補正１】
【補正対象書類名】明細書
【補正対象項目名】０００３
【補正方法】変更
【補正の内容】
【０００３】
ＬＣＤバックプレーンはガラス基板であり、その上に能動素子と導電層と絶縁層とが作製され、当該バックプレーンと別のガラス層間にある液晶材料を精確に偏光させて液晶ディスプレイ上の画像を制御する。第２のガラス層は、特定の実施形態においてカラーフィルターガラス（ｃｏｌｏｒ  ｆｉｌｔｅｒ  ｇｌａｓｓ：ＣＦ）として知られており、カラーフィルターの位置に、サブピクセルごとに１つずつあり、カラー画像を生成するため使用される。現在、好適なバックプレーンの能動素子は薄膜トランジスタ（ＴＦＴ）であり、ＴＦＴは順次積層されパターニングされた薄膜層から成る半導体ベースの素子である。ＴＦＴに使用される薄膜半導体材料には多くの制限があり、その制限としては、低いキャリア移動度、光と温度への感受性、ならびに性能および製造コスト上の問題を生じる製造の複雑さなどがある。そのため、そのような制限、例えば本明細書に開示した制限を克服する新たな装置は、現在の技術水準を前進させるものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１１／０２６１０２８号明細書
（特許文献２）  米国特許出願公開第２００９／０３１６０６１号明細書
（特許文献３）  米国特許出願公開第２０１０／０１２３７４４号明細書
（特許文献４）  米国特許出願公開第２０１４／０２９３１６６号明細書
（特許文献５）  国際公開第２０１４／０７４３６０号
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
X線イメージングのための装置であって、
-装置マウントと、
-前記装置マウントに対して、装置の回転軸の周りに回転するように前記装置マウントに移動可能に接続されるアームと、
-X線ビームを放射するためのX線源と、
-X線検出器と、
-Uアームジオメトリを有するキャリアであって、前記Uアームジオメトリは、相互に対向する部分と、前記相互に対向する部分を接続する中間部分とを備え、前記相互に対向する部分は、前記X線源及び前記X線検出器を各々担持するように構成され、前記中間部分は、前記アームに対して、前記装置の回転軸に実質的に垂直なキャリアの回転軸の周りに回転するように前記アームに移動可能に接続される、キャリアと
を有する、X線イメージングのための装置において、
（i）前記X線源及び前記X線検出器のうちの少なくとも1つは、前記キャリアに対して、前記装置の光軸に実質的に平行な方向に相互並進するように前記キャリアに移動可能に接続されるか、又は（ii）前記キャリアは、前記X線源及び前記X線検出器が前記光軸に実質的に平行な前記方向に相互並進するように構成されるように、前記光軸に実質的に平行な前記方向に延在可能である、
X線イメージングのための装置。
【請求項２】
（i）前記Uアームジオミトリの前記中間部分は、前記アームに対して、前記装置の回転軸に実質的に平行な方向に沿って並進するように前記アームにさらに移動可能に接続され、又は（ii）前記アームは、前記装置の回転軸に実質的に平行な方向に延在可能であり、前記Uアームジオメトリの前記中間部分は、前記装置マウントに対向する前記アームの先端部に取り付けられる、請求項１に記載の装置。
【請求項３】
前記アームは、前記装置マウントに対して、前記装置の回転軸に実質的に垂直な方向に沿って並進するように前記装置マウントにさらに移動可能に接続される、請求項1又は2に記載の装置。
【請求項４】
ガイドを更に有し、前記装置マウントは、前記ガイドに対して、前記装置の回転軸に実質的に垂直な方向に沿って並進するように前記ガイドに移動可能に接続される、請求項1乃至３の何れか一項に記載の装置。
【請求項５】
前記装置マウントは、前記装置の回転軸が重力に実質的に平行になるように、天井マウントである、請求項1乃至４の何れか一項に記載の装置。
【請求項６】
（i）前記X線源及び前記X線検出器が、前記キャリアに対して、前記装置の前記光軸に実質的に平行な方向に沿って並進するように前記キャリアに移動可能に接続され、又は（ii）前記X線源及び前記X線検出器が、前記光軸に実質的に平行な前記方向に並進するように構成されるように、前記キャリアが前記光軸に実質的に平行な前記方向に延在可能であり、前記X線源と前記X線検出器との間の距離は動作中一定になるように、（a）前記X線源の前記並進と、（b）前記X線検出器の前記並進とを同期させるように構成される並進コントローラを更に有する、請求項1乃至５の何れか一項に記載の装置。
【請求項７】
前記X線検出器は、前記キャリアに対して、前記キャリアの回転軸に実質的に平行な検出器の回転軸の周りに回転するように前記キャリアに移動可能に接続され、動作中、前記X線検出器のX線感受性領域の方向を一定に維持するために、（i）前記検出器の回転軸の周りの前記X線検出器の前記回転と、（ii）前記キャリアの回転軸の周りの前記キャリアの前記回転とを同期させるように構成される回転コントローラを更に有する、請求項1乃至６の何れか一項に記載の装置。
【請求項８】
（i）前記X線源及び前記X線検出器の少なくとも一方が、前記キャリアに対して、前記システムの前記光軸に実質的に垂直な方向に並進するように、前記キャリアに移動可能に接続され、又は（ii）前記相互に対向する部分の少なくとも一方が、前記X線源及び前記X線検出器は、前記光軸に実質的に垂直な前記方向に相互並進するように構成されるように、前記光軸に実質的に垂直な方向に延在可能である、請求項1乃至７の何れか一項に記載の装置。
【請求項９】
前記X線検出器はダイナミックX線検出器である、請求項1乃至８の何れか一項に記載の装置。
【請求項１０】
請求項1乃至９の何れか一項に記載の装置と、X線イメージングのための患者テーブルとを有するX線イメージングのためのシステムであって、
-床マウントと、
-前記床マウントに対して、水平な脚部の回転軸の周りに回転するように前記床マウントに移動可能に接続される脚部と、
-前記脚部に対して、前記脚部の回転軸に実質的に平行な支持部の回転軸の周りに回転するように前記脚部に移動可能に接続される患者支持部と
を有する、システム。
【請求項１１】
前記患者支持部は、ヘッドボード又はフードボードで前記脚部に接続される、請求項10に記載のシステム。
【請求項１２】
前記患者支持部は、前記患者支持部の前記フードボードに取り付けられるフット支持部を備える、請求項10又は11に記載のシステム。
【請求項１３】
前記脚部は、前記脚部の回転軸に実質的に垂直な方向に沿って延在可能である、請求項10乃至12の何れか一項に記載のシステム。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
呼吸不全の対象の呼吸を改善し、及び／または制御し、及び／または回復させる方法であって、
呼吸を制御し及び／または回復させるのに十分な周波数及び強度で頚髄またはその領域に経皮刺激を与えることによって、前記対象の頚髄を神経調節すること；及び／または
呼吸を制御し及び／または回復させるのに十分な周波数及び強度で頚髄またはその領域に硬膜外刺激を与えることによって、前記対象の頚髄を神経調節すること；及び／または
呼吸を制御し及び／または回復させるのに十分な周波数及び強度で磁気刺激装置により前記対象の頚髄を神経調節することを含んでいる、前記方法。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
近位端、遠位端、および前記近位端と前記遠位端との間にまたがる内腔を有する細長い管状部分と、
前記近位端と前記遠位端との間で延伸する複数のワイヤと、
前記細長い管状部分の前記遠位端に配置されたハイポチューブであって、該ハイポチューブとのぴったりフィットする接続を作成するために、前記複数のワイヤの１つ以上の遠位端に接合された複数の切り欠きエリアを含む近位端を有するハイポチューブと、
前記ハイポチューブに接続され、複数の電気経路の１つ以上と電気通信している１つ以上の電動コンポーネントと、
前記複数のワイヤの少なくとも２つを介して前記ハイポチューブに電力を供給するように前記細長い管状部分の前記近位端に接続可能なインターフェースと
を具備するカテーテル。
【請求項２】
前記ハイポチューブは、金めっきポリイミドで構成される、請求項１に記載のカテーテル。
【請求項３】
前記ハイポチューブ上の前記電気経路は、前記ハイポチューブをレーザーカットすることによって形づくられる、請求項１に記載のカテーテル。
【請求項４】
前記ハイポチューブはさらに、プラス端子バンク領域およびマイナス端子バンク領域を有する、請求項１に記載のカテーテル。
【請求項５】
前記１つ以上の電動コンポーネントは、各々が前記プラス端子バンク領域および前記マイナス端子バンク領域に接続された複数の電動コンポーネントである、請求項４に記載のカテーテル。
【請求項６】
前記１つ以上の電動コンポーネントは、撮像センサ、圧力センサ、温度センサ、および酸素センサから選択される、請求項１に記載のカテーテル。
【請求項７】
前記１つ以上の電動コンポーネントは、ヒーターまたは機械ラッチシステムから選択される、請求項１に記載のカテーテル。
【請求項８】
前記ハイポチューブはさらに、回路を含む、請求項１に記載のカテーテル。
【請求項９】
前記回路は、ホイートストンブリッジである、請求項８に記載のカテーテル。
【請求項１０】
前記回路は増幅器である、請求項８に記載のカテーテル。
【請求項１１】
前記ハイポチューブは、前記ハイポチューブの内部に沿って配置された複数の電気接点を含む、請求項１に記載のカテーテル。
【請求項１２】
近位端、遠位端、および前記近位端と前記遠位端との間にまたがる内腔を有する細長い管状部分と、
前記細長い管状部分の前記遠位端に配置され、１つ以上の電気経路を形成するハイポチューブであって、複数の切り欠きエリアを有するハイポチューブと、
前記ハイポチューブに接続され、前記電気経路の１つ以上と電気通信している１つ以上の電動コンポーネントと、
前記複数の編組ワイヤの少なくとも２つを介して前記ハイポチューブに電力を供給するように前記細長い管状部分の前記近位端に接続可能なインターフェースであって、前記細長い管状部分にまたがる前記複数のワイヤの少なくとも２つの遠位端は、前記ハイポチューブの近位端で前記切り欠きエリアのうちの１つにそれぞれ接続されるインターフェースと
を具備するカテーテル。
【請求項１３】
前記細長い管状部分を支持する複数の編組構造ワイヤをさらに備え、前記編組構造ワイヤは、前記ハイポチューブと前記カテーテルの近位端のインターフェースとに電気的に接続される、請求項１２に記載のカテーテル。
【請求項１４】
前記１つ以上の電動コンポーネントは、撮像センサ、圧力センサ、温度センサ、および酸素センサから選択される、請求項１２に記載のカテーテル。
【請求項１５】
前記１つ以上の電動コンポーネントは、ヒーターまたは機械ラッチシステムから選択される、請求項１２に記載のカテーテル。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
血管治療の位置特定及び定量化のための装置であって、当該装置は、
入力ユニット、
処理ユニット、及び
出力ユニット、
を有し、
前記入力ユニットは、血管構造の関心領域の表示を含む少なくとも１つの第１画像を供給すると共に、前記血管構造の前記関心領域の表示を含む少なくとも１つの第２画像を供給し、これら表示は、少なくとも１つの画像面における前記血管構造の空間的拡張情報に関係するものであり、
前記少なくとも１つの第１画像の取得と前記少なくとも１つの第２画像の取得との間において、前記血管構造の前記関心領域に対して血管治療が施されている可能性があり、
前記処理ユニットは、前記少なくとも１つの第１画像及び前記少なくとも１つの第２画像から形成された画像組から少なくとも１つの基準画像を選択し、前記画像組から前記少なくとも１つの基準画像とは異なる少なくとも１つのサンプル画像を選択し、前記少なくとも１つのサンプル画像を前記少なくとも１つの基準画像と位置合わせして少なくとも１つの位置合わせされた画像を供給し、前記少なくとも１つの基準画像と前記少なくとも１つの位置合わせされた画像との間の前記血管構造に関する特徴構造の直径の相対変化を判定することによって、空間的不一致の領域を検索し、これにより前記血管治療の位置を決定することができ、
前記出力ユニットは、少なくとも１つの空間的不一致の領域が存在する場合、前記位置において施された前記血管治療の結果を表すデータを出力する、
装置。
【請求項２】
直径の不一致が、前記血管構造の或る位置に対応する空間位置においてのみ判定される、請求項１に記載の装置。
【請求項３】
前記処理ユニットが、少なくとも２つのサンプル画像を選択し、少なくとも２つの位置合わせされた画像を供給し、前記少なくとも２つの位置合わせされた画像のうちの第１のものに前記特徴構造の寸法又は直径の不一致が存在し、且つ、前記少なくとも２つの位置合わせされた画像のうちの少なくとも第２のものに前記特徴構造の寸法又は直径の不一致が存在する場合に、空間的不一致の領域が存在すると確認する、請求項１又は２に記載の装置。
【請求項４】
前記少なくとも１つの第１画像及び前記少なくとも１つの第２画像が、同一の角度で取得された血管造影図である、請求項１ないし３の何れか一項に記載の装置。
【請求項５】
前記出力ユニットが、前記少なくとも１つの空間的不一致の領域の位置特定情報を前記少なくとも１つの基準画像上に表示する、請求項１ないし４の何れか一項に記載の装置。
【請求項６】
前記出力ユニットが、血管治療前後のステント留置位置に関連する定量的冠動脈造影（ＱＣＡ）情報を出力する、請求項５に記載の装置。
【請求項７】
前記処理ユニットが前記少なくとも１つの位置合わせされた画像を前記少なくとも１つのサンプル画像に対する変換の適用を介して供給する、請求項１ないし６の何れか一項に記載の装置。
【請求項８】
前記少なくとも１つのサンプル画像は複数のサンプル画像を有し、前記変換は空間時間対形成変換であり、
前記処理ユニットが前記少なくとも１つの位置合わせされた画像を供給するように構成されることが、前記少なくとも１つのサンプル画像におけるサンプル画像を前記少なくとも１つの基準画像と対にすることを含む、請求項７に記載の装置。
【請求項９】
血管治療の位置特定及び定量化のための医療システムであって、当該医療システムは、
画像取得ユニット、及び
血管治療の位置特定及び定量化のための請求項１ないし８の何れか一項に記載の装置、
を有し、
前記画像取得ユニットが、血管治療の前後の前記血管構造の前記関心領域の表示を含む前記少なくとも１つの第１画像及び前記少なくとも１つの第２画像を供給する、
医療システム。
【請求項１０】
血管治療の位置特定及び定量化のためのコンピュータ実施される方法であって、
ａ）  血管構造の関心領域の表示を含む少なくとも１つの第１画像を供給するステップと、
ｂ）  前記血管構造の前記関心領域の表示を含む少なくとも１つの第２画像を供給するステップであって、前記少なくとも１つの第１画像の取得と前記少なくとも１つの第２画像の取得との間において、前記血管構造の前記関心領域に対して血管治療が施されている可能性があり、前記血管構造の前記関心領域の表示は、少なくとも１つの画像面における前記血管構造の空間的拡張情報に関係するものであるステップと、
ｃ）  前記少なくとも１つの第１画像及び前記少なくとも１つの第２画像から形成された画像組から少なくとも１つの基準画像を選択するステップと、
ｄ）  前記少なくとも１つの第１画像及び前記少なくとも１つの第２画像から形成された前記画像組から、前記少なくとも１つの基準画像とは異なる少なくとも１つのサンプル画像を選択するステップと、
ｅ）  前記少なくとも１つのサンプル画像からの少なくとも１つの画像を前記少なくとも１つの基準画像と位置合わせして、少なくとも１つの位置合わせされた画像を供給するステップと、
ｆ）  前記少なくとも１つの基準画像と前記少なくとも１つの位置合わせされた画像との間の前記血管構造に関する特徴構造の直径の相対変化を判定することによって、空間的不一致の領域を検索し、これにより血管治療の位置を決定することができるステップと、
ｇ）  少なくとも１つの空間的不一致の領域が存在する場合、前記関心領域としての前記空間的不一致の領域において施された前記血管治療の結果を表すデータを出力するステップと、
を有する、方法。
【請求項１１】
請求項１ないし８の何れか一項に記載の装置又は請求項９に記載の医療システムを制御するためのコンピュータプログラムであって、プロセッサにより実行された場合に請求項１０に記載の方法を実行する、コンピュータプログラム。
【請求項１２】
請求項１１に記載のコンピュータプログラムを記憶した、コンピュータ読取可能な媒体。